(57)【要約】長命を持つ濃縮された非水性清浄溶液は、エステルおよび無水表面活性剤を含む。エステルは、グラフィティー（落書き）、グリースおよび他の汚染物を溶解するための活性な原材料である。エステルは、グルタル酸ジメチル、コハク酸ジメチル、アジピン酸ジメチル、乳酸エチル、およびダイズ油から抽出されるメチルエステルの１種またはその混合物であることができる。無水表面活性剤は、なるべくなら、アルコールエトキシレートである。濃縮された溶液におけるエステルは、溶液が水と混合されない限り、酸およびアルコールにまで分解しない。これは、濃縮された溶液が発送され、および貯蔵され、および有効なままであることを許容する。濃縮物は、使用の直前に水を用いて希釈することができる。使用前の希釈は、グラフィティー清浄剤をより一層高価でないものにし、および感受性のある表面に対する損傷を防ぐが、エステルが分解するのに足りる長時間は提供されない。【特許請求の範囲】
【請求項１】
長命を持つ濃縮された非水性グラフィティー清浄溶液であって、次の、すなわち
グラフィティーを溶解するためのエステルで、前記エステルは、グルタル酸ジメチル、コハク酸ジメチル、アジピン酸ジメチル、乳酸エチル、およびダイズ油から抽出されるメチルエステルからなる群より選ばれるもの、および
無水表面活性剤
を備える、清浄溶液。
【請求項２】
前記無水表面活性剤はアルコールエトキシレートである、請求項１に従う濃縮された非水性グラフィティー清浄溶液。
【請求項３】
前記無水表面活性剤は、アルキルフェノールエトキシレート、二級アルコールエトキシレート、およびエチレンオキシド／プロピレンオキシドの共重合体からなる群より選ばれる、請求項１に従う濃縮された非水性グラフィティー清浄溶液。
【請求項４】
前記エステルは、重さによって溶液の１０から９０までのパーセントを形成する、請求項１に従う濃縮された非水性グラフィティー清浄溶液。
【請求項５】
前記無水表面活性剤は、重さによって溶液の１０から９０までのパーセントを形成する、請求項１に従う濃縮された非水性グラフィティー清浄溶液。
【請求項６】
希釈後の使用のための希釈されたグラフィティーリムーバー溶液であって、次の、すなわち
請求項１に従う濃縮された非水性グラフィティー清浄溶液の１部数、および
水の３部数まで
を備える、リムーバー溶液。
【請求項７】
希釈後の使用のための希釈されたグラフィティーリムーバー溶液であって、次の、すなわち
請求項１に従う濃縮された非水性グラフィティー清浄溶液の１部数、および
水の１から９９までの部数
を備える、リムーバー溶液。
【請求項８】
濃縮された非水性清浄溶液であって、次の、すなわち
グリースおよび／または他の汚染物を溶解除去するためのエステルで、前記エステルは、グルタル酸ジメチル、コハク酸ジメチル、アジピン酸ジメチル、乳酸エチル、およびダイズ油から抽出されるメチルエステルからなる群より選ばれるもの、および
無水表面活性剤
を備える、清浄溶液。
【請求項９】
前記無水表面活性剤はアルコールエトキシレートである、請求項８に従う濃縮された非水性清浄溶液。
【請求項１０】
前記無水表面活性剤は、アルキルフェノールエトキシレート、二級アルコールエトキシレート、およびエチレンオキシド／プロピレンオキシドの共重合体からなる群より選ばれる、請求項８に従う濃縮された非水性清浄溶液。
【請求項１１】
前記エステルは、重さによって溶液の１０から９０までのパーセントを形成する、請求項８に従う濃縮された非水性清浄溶液。
【請求項１２】
前記無水表面活性剤は、重さによって溶液の１０から９０までのパーセントを形成する、請求項８に従う濃縮された非水性清浄溶液。
【発明の詳細な説明】
【技術分野】
【０００１】
本発明は、安定化されたエステル成分を有する濃縮された清浄剤生成物に関する。
【背景技術】
【０００２】
グラフィティー（落書き）は、バンダリズム（汚損行為）のある形態であり、そこでは、壁または表面がペイント（塗装）されるか、またはマーク（目印付け）される。グラフィティーには、典型的に、ペイント（塗料）、インク、および／またはパーマネントマーカー（永久的な目印、マジックインキ）が含まれる。
【発明の概要】
【発明が解決しようとする課題】
【０００３】
パワーソルベント（力学的溶媒）を用いるグラフィティーの除去は可能であるが、それらの使用は、グラフィティーを浄化する者に有害なことがあり、そして長期間の稼動（ロングラン）において環境に有害なことがある。そのうえ、溶媒は保管および輸送の間に、火災の原因が存在する。
【０００４】
スクレーピング（掻き取り）、またはスクラビング（こすり洗い）のようなグラフィティーを除去するノンリキッド（非流動性）の方法は、浄化される表面が多孔性またはアンイーブン（一様でない）なとき、効果がない。
【０００５】
最後に、グラフィティーのリムーバー（除去剤）は、溶解される塗料において選択的でなければならない。下にある表面が塗装されている場合、グラフィティーリムーバーは下にある塗料を除去しないのに足りるように優しい必要がある。
【０００６】
エステル類を用いる清浄溶液（クリーニング・ソリューション）は既知である。しかし、それらの使用は制限され、それはそれらが水溶液において不安定だからである。とりわけ、エステルに基づく（エステル系）清浄溶液が水溶液中に置かれるとき、エステルは分解し始める。分解しているエステルは、望ましくない、そして潜在的に有害な副産物を生成する。さらに、エステルは分解するので、エステル、それは清浄溶液においける活性な原材料であるが、その量が減少する。
【０００７】
エステル類は、任意の水系生成物において、延ばされた時間の期間の間、エステル類が時間とともに酸およびアルコールに分解する、次の式Ｉ
（Ｉ）  ＲＣＯ２Ｒ（ａｑ）  →  ＲＣＯＯＨ  ＋  ＨＯＲ
において記載するようなものを伴わずに用いることができない。
【０００８】
結果として、生成物のｐＨは減少する。
これらの理由のため、エステルを利用し、それを分解させることなく発送し、そして貯蔵することができるグラフィティーリムーバーおよび他のクリーナー（洗浄剤）のために、必要性が存在する。
【課題を解決するための手段】
【０００９】
したがって、本発明の目的は、この一般的なタイプ（種類）のこれまで既知の組成物の上述の不利益を克服する濃縮された非水性グラフィティー清浄溶液を提供することである。
【００１０】
本発明の対象は、使用の直前に水を加えることによって使用のために再構成することができる延ばされた貯蔵寿命を有するエステル系の濃縮された清浄溶液を提供することである。
【００１１】
生成物を開発する間、任意の水系生成物においてエステル類を時間とともに酸およびアルコールにまで分解させないで、エステル類を使用することができないことが発見された。このことは、これらのエステル類が、調剤物（formulations）を、水を伴わないで作成するとき、分解されないという発見に導く。顧客は、後日、水を加え、そして次いで生成物を迅速に（すなわち１ヵ月またはそれよりも短く）、分解が、エステルに、および従って生成物の有効性に、有意に影響を与える前に、用いることができる。
【発明を実施するための形態】
【００１２】
本発明の更なる対象は、最小のコスト（経費）で安定な形態において発送することができる濃縮された生成物を提供することである。本発明に従う濃縮された非水性グラフィティーリムーバー溶液はこの目的を達成し、それは、製造者は活性原材料だけを発送しているので、発送コストが減らせるからである。次いで、最終消費者は、使用の前に濃縮物を希釈することができる。したがって、製造者は次いで、水を発送するためのコストを節約する。同様に、容器の容量がより一層少ないので、濃縮された溶液を包装するためのコストは、希釈された溶液を発送することよりも少ない。最終的に、エステル類は、グラフィティーリムーバーにおいて主要な活性原材料であり、発送の間および市販の際、それらが水に対して曝されない限り安定である。それで、濃縮された非水性の形態における生成物を発送することによって、貯蔵寿命は少なくとも１年まで延ばされるが、その一方、希釈された水溶液はそれが調製される月内で用いる必要がある。
【００１３】
前述および他の目的とともに考慮して、本発明に従い、長い貯蔵寿命（すなわち、少なくとも１２ヵ月）を持つ、濃縮された非水性グラフィティー洗浄溶液が提供される。溶液における活性な原材料はエステルである。エステルは、グルタル酸ジメチル、コハク酸ジメチル、アジピン酸ジメチル、乳酸エチル、およびダイズ油から生成されるメチルエステルである。エステル類のうちの１種を用いることができることに加え、溶液はエステル類の組合せを用いることができる。
【００１４】
加えて、溶液は無水の表面（界面）活性剤を含む必要がある。無水表面活性剤は、濃縮物が希釈されるとき、水との混合を促進する。追加的に、表面活性剤は浄化されるべき表面の湿潤において助けになる。最終的に、表面活性剤は、エステルとともに、浄化し、および表面から組成物、グラフィティー、および他の汚染物を除去する助けになるように働く。
【００１５】
特に効果的な非水性表面活性剤は、アルコールエトキシレートであることが見出された。追加的に、アルコールエトキシレートは環境上の理由のために好ましい。他の可能な非水性表面活性剤には、アルキルフェノールエトキシレート、二級アルコールエトキシレート、およびエチレンオキシド／プロピレンオキシドの共重合体が含まれる。
【００１６】
本発明の更なる目的によれば、１０から９０までの重量によるパーセント（重量％）のエステルを有する濃縮された非水性溶液が、効果的であることが見出された。同様に、無水表面活性剤は、非水性溶液の１０から９０までの重量パーセントを形成することができる。
【００１７】
多数の他の洗剤成分を加えることができ、グリコールエーテル溶媒、染料、香料、および水コンディショナー（水質調節剤）のようなものである。
【００１８】
本発明の更なる目的に従い、希釈されたグラフィティーリムーバー溶液を、濃縮された非水性溶液から作成することができる。希釈された溶液は、繊細な表面上においてより一層優しい。追加的に、希釈された溶液は容量あたりであまり高価ではなく、それはそれが水を用いて溶解されるからである。水が非水性濃縮物のエステル成分とともに混合されるとき、エステル成分は分解し始める。したがって、希薄溶液は、希釈の１ヵ月内、および好ましくは希釈後できるだけ速く用いる必要がある。低い希釈の調剤物は、非水性の濃縮されたグラフィティー清浄溶液の容量による１部数を、水の容量によっての最高で３部数までと混合することにより形成される。高い希釈の調剤物は、濃縮物の容量によっての１部数を、水の容量によっての３から５までの部数と混合することにより作成される。１対５を超える混合物は可能であるが、希釈物の有効性を減少させうる。１対９９ほど高い希釈が有効であることが見出された。
【００１９】
本発明についての特徴とみられる他の特長を、添付の請求の範囲において表す。
【００２０】
本発明を、ここで、濃縮された非水性グラフィティー清浄溶液および希釈されたグラフィティー清浄溶液において具体化されるように記載するが、それでもなお、示される詳細なものに制限されることを意図せず、それは、種々の修飾および構造的な変化を、それらにおいて、本発明の精神から離れることなく、そして請求の範囲の範囲およびその均等（等価）の範囲内で行いえるからである。
【００２１】
しかし、本発明の構成および作動の方法は、追加の目的およびその利点と一緒に、特定の具体化の以下の説明から、添付の例と関連して読まれるとき、最も良好に理解される。
発明を遂行するための最良のモード、すなわち
【００２２】
次に例を参照すると、本発明には、グラフィティー、グリース、汚染物を除去し、そして一般的な目的（汎用）のクリーナー（洗浄剤）として機能させるために効果的な濃縮された非水性清浄溶液が包含される。
【００２３】
濃縮された非水性溶液の活性な原材料はエステルである。エステルは単独のエステルであることができ、またはいくつか（５または６くらい）のエステル類の混合物であってよい。好ましいエステル類には、グルタル酸ジメチル、コハク酸ジメチル、およびアジピン酸ジメチルが含まれる。効果的な溶液はまた、乳酸エチルおよびダイズ油のメチルエステル類を用いた。
【００２４】
濃縮された非水性溶液の第２の原材料は無水表面活性剤である。無水表面活性剤は、濃縮された非水性溶液の１０から９０までの重量パーセント（１０〜９０重量％）を形成する。大部分の無水表面活性剤が働くとはいえ、アルコールエトキシレートが好ましい。他の無水表面活性剤の例には、アルキルフェノールエトキシレート、二級アルコールエトキシレート、エチレンオキシド／プロピレンオキシドの共重合体、および同様の他のものが含まれる。
【００２５】
エステルおよび無水表面活性剤に加え、他の無水原材料を加えうる。とりわけ、グリコールエーテル溶媒、染料、香料、および水コンディショナーを、濃縮物において含ませることができる。
【００２６】
例１
以下のフォーミュラ（処方）は、濃縮された状態のものの好適例であり、それはグラフィティーを除去するために次に記載する方法に従って用いた。
【００２７】
【表１】
2010510331.tif 000002
【００２８】
例２
例２は、例１と同じだけれども、５％の水を完全な溶液（complete solution）に加えて用いる。
濃縮したエステル清浄溶液から水を除去する影響は、例１および２を比較することによって見ることができる。例１において記載する溶液は、摂氏３８度（３８℃）で六十（６０）日後に降下しないｐＨを持つ。例２において、ｐＨは摂氏３８度（３８℃）で六十（６０）日後に０．５単位減少した。
【００２９】
最も困難な（頑強な）グラフィティーの除去の仕事のために、濃縮した非水性グラフィティー清浄溶液を、浄化すべき表面上で直接に用いることができる。最も困難なグラフィティーの除去の仕事は通常、多孔質で、および耐久性のある表面に関係する。
【００３０】
より一層典型的には、濃縮した非水性グラフィティー清浄溶液を、使用の前に水を用いて希釈することができる。濃縮した非水性グラフィティー清浄溶液を、浄化する表面により、“低希釈”または“高希釈”において希釈することができる。
【００３１】
大部分の状況において、低希釈は効果的である。低希釈を、１（容量測定の）部数の濃縮した非水性グラフィティー清浄溶液および最高で３部数までの水として規定する。低希釈は、大部分の耐久性のある表面上で働く経済的なブレンド（混和物）を提供する。
【００３２】
塗装された表面のようなより一層繊細な表面の浄化用に、高希釈が、下にある表面を保護するために必須である。高希釈を、１（容量測定の）部数の濃縮した非水性グラフィティー清浄溶液および３から５まで（３〜５）の部数の水として規定する。それがより一層薄いので、高希釈は低希釈および濃縮された溶液よりもより一層経済的である。
【００３３】
グラフィティーリムーバー溶液は（濃縮した、低希釈、または高希釈であろうとなかろうと）、以下の手順に従い用いられる。グラフィティーリムーバー溶液を、ブラシ、スポンジ、または布を用いて自由に適用（塗布）し、およびグラフィティーリムーバーを、除去すべきグラフィティー中に入り込ませる。グラフィティーの種類および年によって、グラフィティーはすぐに溶解するかもしれず、またはグラフィティーリムーバーは除去前に最高で５分まで浸す必要があるかもしれない。グラフィティーリムーバーの濃度はまた、望ましくない汚れ、またはグラフィティーの除去において関係する時間にも影響を与える。表面は、グラフィティーリムーバーを除去する前にブラシをかける必要があるかもしれない。グラフィティーリムーバーは、中程度または高度な圧力の散水（ウォータースプレー）を使って最も良好に除去される。小さな領域のために、グラフィティーリムーバーを、乾いた、または湿った布またはスポンジを用いて使用することができる。グラフィティーリムーバーは、若干の塗装した表面を攻撃するかもしれず、そのために、適合性試験が浄化に先立って推奨される。
【００３４】
グラフィティーリムーバーはまた、ホワイトボードに用いることもできる。グラフィティーリムーバーは、パーマネントマーカーおよび残留するシャドーイングによって残った残余物（レムナンツ）を除去する。ホワイトボードを浄化するために、グラフィティーリムーバーの薄いコート（被膜）を表面に適用する。表面は、最高で３分間まで浸されることを許容され、これは、パーマネントマーカーのマーキングを柔らかくする。次に、第２のコーティング（被覆）を加え、および湿っぽいスポンジ、布、またはノンスクラッチパッドを用いてラビングする（こする）ことによって除去される。最終的に、表面は、澄んだ水または一般的な万能クレンザーを用いてすすがれる。
【００３５】
以前に議論する水溶液におけるエステルの分解に加え、グラフィティーリムーバーはまた、希釈のために用いるスプレーボトル（ビン）容器のインテグリティー（完全性）を攻撃する。したがって、希釈されたグラフィティーリムーバーをスプレーボトルにおいて九十（９０）日よりも長い間貯蔵することは勧められない。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
濃縮された非水性グラフィティー清浄溶液であって、次の、すなわち
グラフィティーを溶解するためのエステル混合物の約４０重量パーセントで、前記エステル混合物は、グルタル酸ジメチル、コハク酸ジメチル、アジピン酸ジメチルからなるもの、
約１２−１３のアルコール長さを持つアルコールエトキシレートからなる第１の無水表面活性剤の約３０重量パーセント、および
９−１１のアルコール長さを持つアルコールエトキシレートからなる第２の無水表面活性剤の約３０重量パーセント
からなり、
前記組成が１２ヶ月の未希釈の貯蔵寿命および約９０日の希釈された貯蔵寿命を持つ、清浄溶液。
【国際調査報告】
2010510331.tif 000003